(57)【要約】ネットワーク・アクセス・サービスをワイヤレス・ユーザに提供するためのアンテナ・システム（１０）は、少なくとも第１（６２）および第２（６４）のアンテナ・ビームを生成し、第２アンテナビーム（６４）は第１との関係で移動可能である。付加的なアンテナ・ビーム（６６）が生成されてもよい。アンテナ・システム（１０）の設置中に、据付者は、与えられた配置領域におけるアンテナ・システムの最大データ速度を達成できる範囲を拡大するように第２アンテナ・ビーム（６４）（可能なら他のアンテナ・ビーム）の位置を調整する。
2005535255.tif 000002
【特許請求の範囲】
【請求項１】
短距離ワイヤレス・アクセスをネットワークへ提供する際に使用するアンテナ・システムにおいて、
第１アンテナ・ビームを生成するために第１パネルの上に配置した少なくとも１つのアンテナ要素を有する第１パネルと、
前記第１パネルに軸結合され、第２アンテナ・ビームを生成するために第２パネルの上に配置した少なくとも１つのアンテナ要素を有する第２パネルと、
を含むことを特徴とするアンテナ・システム。
【請求項２】
前記第１パネルに結合され、前記第１および第２アンテナ・ビームがほぼ下方向に向けられるように、前記アンテナ・システムを配置領域内の高所に設置するためのマウントを含むことを特徴とする請求項１記載のアンテナ・システム。
【請求項３】
前記マウントは、天井用のマウントを含むことを特徴とする請求項２記載のアンテナ・システム。
【請求項４】
前記マウントは、壁用のマウントを含むことを特徴とする請求項２記載のアンテナ・システム。
【請求項５】
前記第１パネルに軸結合され、少なくとも１つの追加のアンテナ・ビームを生成するために、パネルの上に配置した少なくとも１つのアンテナ要素を有する少なくとも１つの追加のパネルを含むことを特徴とする請求項１記載のアンテナ・システム。
【請求項６】
前記第１パネルは、前記第１アンテナ・ビームを生成するために、アンテナ要素のアレイを含むことを特徴とする請求項１記載のアンテナ・システム。
【請求項７】
前記第２パネルは、前記第２アンテナ・ビームを生成するために、アンテナ要素のアレイを含むことを特徴とする請求項１記載のアンテナ・システム。
【請求項８】
前記第２パネルを前記第１パネルに対して固定した角度位置で固定するロック機構をさらに含むことを特徴とする請求項１記載のアンテナ・システム。
【請求項９】
前記ロック機構は、圧縮力を用いて、前記第２パネルを固定した位置に保持するための複数のブロックを有する取付具を含むことを特徴とする請求項８記載のアンテナ・システム。
【請求項１０】
前記第２パネルに結合され、前記第１パネルに対する前記第２パネルの角度を設置中に調整する際に使用するための水平な反射要素をさらに含むことを特徴とする請求項１記載のアンテナ・システム。
【請求項１１】
短距離ワイヤレス・アクセスをネットワークへ提供する際に使用するアンテナ・システムにおいて、
第１アンテナ・ビームを生成するための少なくとも１つの第１アンテナ要素、および、第２アンテナ・ビーム生成するための第２アンテナ要素のアレイを有するパネルであって、前記第２アンテナ・ビームは前記第１アンテナ・ビームに対して電子的に操作可能である、パネルと、
前記パネルに結合され、前記第１アンテナ・ビームおよび前記第２アンテナ・ビームがネットワーク・アクセス配置領域内においてほぼ下方向に向けられるように、前記アンテナ・システムを配置領域内の高所に設置するためのマウントと、
を含むことを特徴とするアンテナ・システム。
【請求項１２】
前記パネルは、少なくとも１つの追加のアンテナ・ビームを生成するためにアンテナ要素の少なくとも１つの追加のアレイをさらに含み、前記少なくとも１つの追加のアンテナ・ビームは前記第１および第２アンテナ・ビームに対して電子的に操作できることを特徴とする請求項１１記載のアンテナ・システム。
【請求項１３】
前記少なくとも１つの第１アンテナ要素は、アンテナ要素のアレイを含むことを特徴とする請求項１１記載のアンテナ・システム。
【請求項１４】
前記マウントは、天井用のマウントを含むことを特徴とする請求項１１記載のアンテナ・システム。
【請求項１５】
前記マウントは、壁用のマウントを含むことを特徴とする請求項１１記載のアンテナ・システム。
【請求項１６】
短距離ワイヤレス・アクセスをネットワークへ提供する際に使用するアンテナ・システムにおいて、
アンテナ要素のアレイをその上に配置したパネルであって、前記アンテナ要素のアレイは、複数のビームのビーム生成発生源と共に、複数の同時アンテナ・ビームを生成し、前記複数の同時アンテナ・ビームは電子的に操作可能である少なくとも１つのビームを含む、パネルと、
前記パネルに結合され、前記複数の同時アンテナ・ビームが前記ネットワーク・アクセス配置領域内においてほぼ下方向に向けられるように、前記アンテナ・システムをネットワーク・アクセス配置領域内の高所に設置するためのマウントと、
を含むことを特徴とするアンテナ・システム。
【請求項１７】
前記マウントは、天井用のマウントを含むことを特徴とする請求項１記載のアンテナ・システム。
【請求項１８】
前記マウントは、壁用のマウントを含むことを特徴とする請求項１６記載のアンテナ・システム。
【請求項１９】
ほぼ下方向に第１アンテナ・ビームを生成するための手段と、
ほぼ下方向に第２アンテナ・ビームを生成するための手段と、
ワイヤレス・ネットワーク・アクセス・ポイントの最大データ速度を達成する範囲を拡大する際に使用するために、前記第１アンテナ・ビームに対して前記第２アンテナ・ビームの方向を調整するための手段と、
を含むことを特徴とするアンテナ・システム。
【請求項２０】
前記第１アンテナ・ビームを生成するための手段は、第１パネルの上に配置した少なくとも１つのアンテナ要素を有する第１パネルを含み、
前記第２アンテナ・ビームを生成するための手段は、第２パネルの上に配置した少なくとも１つのアンテナ要素を有する第２パネルを含み、前記第２パネルは前記第１パネルに軸結合されている、
ことを特徴とする請求項１９記載のアンテナ・システム。
【請求項２１】
前記第１アンテナ・ビームを生成するための手段は、パネル上に配置されたアンテナ要素の第１アレイを含み、
前記第２アンテナ・ビームを生成するための手段は、前記パネル上に配置されたアンテナ要素の第２アレイを含む、
ことを特徴とする請求項１９記載のアンテナ・システム。
【請求項２２】
前記第１アンテナ・ビームを生成するための手段および前記第２アンテナ・ビームを生成するための手段は、各々、アンテナ要素の同じアレイを含むことを特徴とする請求項１９記載のアンテナ・システム。
【発明の詳細な説明】
【技術分野】
【０００１】
本発明は、短距離ワイヤレス・ネットワークの特性を改善するアンテナ・システムに関する。
【背景技術】
【０００２】
短距離ワイヤレス技術（例えばＩＥＥＥ  ８０２．１１ａ、ＩＥＥＥ  ８０２．１１ｂ、Ｂｌｕｅｔｏｏｔｈ（Ｒ）、Ｕｌｔｒａｗｉｄｅｂａｎｄ、ＨｏｍｅＲＦ、ＨＩＰＥＲＬＡＮなど）は、固定と携帯機器との双方の間における通信を提供するためにますます一般的になっている。このような技術は、低電力で、廉価な高帯域通信を多種多様なユーザへ提供することができる。１つの予想される応用では、このような技術はユーザ装置とネットワーク・アクセス・ポイントとの間のワイヤレス通信を提供するために使用することが可能である。ネットワーク・アクセス・ポイントは、例えば、インターネットまたは別の大きなネットワークへのゲートウエイとして、利用することがある。このようなネットワーク・アクセス・ポイントは、周囲のユーザと通信するために伝統的に無指向性アンテナを使用してきた。したがって、ユーザ装置がそのアクセス・ポイントから受信する信号の強度は、アクセス・ポイントからの距離が増加するとともに急速に減少する。その結果、受信信号強度が減衰するにつれ、ワイヤレス・リンクを介して持続できるデータ速度は減少する。結果として、最大のデータ速度は、アクセス・ポイント周辺の小さなエリア内にのみ提供が可能となる。ワイヤレス・アクセス・ポイント周辺の最大のデータ速度をカバーするエリアが、実際に可能な限り広いことが一般に望ましい。さらに、最大のデータ速度を達成することのできるエリアがアクセス・ポイントを展開できる範囲とほぼ一致していることは一般に望ましいことである。
【発明の開示】
【０００３】
次の詳細な説明では、発明が実施される特定の実施例を実例として示す添付図面に対して言及される。これらの実施例は、当業者が本発明を実施することができる程度に十分詳細に説明される。本発明の様々な実施例は、異なってはいるが、必ずしも相互に排他的ではないことを理解すべきである。例えば、一実施例に関してここに説明された特定の機能、構造または特性は、本発明の精神および範囲から逸脱せずに、他の実施例の中で実施され得る。さらに、開示された各実施例中の個々の要素の場所または配列は、本発明の精神および範囲から逸脱せずに修正され得ることに注意すべきである。したがって、以下の詳細な説明は、制限する意図をもって解すべきではなく、また、本発明の範囲は、請求項に与えられる均等の全範囲と共に、適切に解釈される添付の請求項によってのみ定義される。図面における類似の数字は、いくつかの図面の全体にわたり同様の機能を言及する。
【０００４】
図１は、本発明の実施例に従うアンテナ・システム１０の底面図である。少なくとも１つのアプリケーションでは、アンテナ・システム１０は、ネットワークへの接続を望むユーザに短距離ワイヤレス・アクセス・ポイントへのサービスを提供するために使用される。ここに使用される、用語「短距離」は、１００メートルまたはそれより短い距離を指す。図示されるように、アンテナ・システム１０は、メイン・パネル１２と４つの軸結合したサイド・パネル１４，１６，１８，２０を含む。メイン・パネル１２およびサイド・パネル１４，１６，１８，２０の各々は、その上に配置されたアンテナ要素２２に対応するアレイを有する。要素２２のアレイは、それぞれ、システム動作中に対応するアンテナ・ビーム（受信または送信）を生成するために動作する。このように、図１のアンテナ・システム１０は、通常動作中（サイドローブが存在してもよい）に５つのメイン・ビームを生成する。図２は図１のアンテナ・システム１０の断面図であり、ヒンジ２４を使用して、メイン・パネル１２へのサイド・パネル１６，２０の接続を図示する。任意の形式のヒンジが使用されてもよい。より詳細に説明されるように、アンテナ・システム１０が最終的に設置される場合に、固定(ロック)機構が各サイド・パネル１４，１６，１８，２０を固定した位置にロックするために提供されてもよい。アンテナ・システム１０は、さらに、配置領域（例えば、ネットワーク・アクセス・サービスが提供されることになっている地域）内にシステム１０を設置する際に使用するためのマウント２６を含んでいてもよい。マウント２６はどのような構造でもよく、また配置領域における所望の位置にアンテナ・システム１０を取り付けるのに望ましい構造を含んでいてもよい。さらに、マウント２６は、アンテナ・システムへ導くためのすべての電気的および／または供給ライン用の導管を提供してもよい。
【０００５】
設置するに際して、アンテナ・システム１０は配置領域内の高い位置に取り付けられる。例えば、天井設置、柱上設置、壁設置または他の同様の設置場所を含んでいてもよい。アンテナ動作中、アンテナ・システム１０によって生成されるビームの各々は、一般に下方向へ向けられ、下方向の対応する床部分を「照射」する。アンテナ・システム１０の全カバレッジ・パターンは、これらの各ビームの個々の照射領域の組合せである。アンテナ・システム１０を設置する際に、据付者は、特定の配置領域の特性に基づいて、アンテナ・システム１０への調整を行うことがあり、その結果、最適なカバレッジ・パターンがその地域に対して得られる。すなわち、アンテナ・システム１０は、最大のデータ速度がサポートされるエリアをその配置領域内で最大限にするように調整される。これを遂行するために、例えば、据付者は、メイン・パネル１２に対するサイド・パネル１４，１６，１８，２０の各々の角度を調整し適切に固定する。
【０００６】
サイド・パネル１４，１６，１８，２０の角度は、配置領域のいくつかの物理的特性、例えば取り付けられたアンテナ・システム１０と床との間の距離（つまり配備高）に基づいて調整されてもよい。アンテナ・システム１０の配備高が低い場合（例えばアンテナ・システムが天井に設置され、天井高が低い場合）、より大きなサイド・パネル角が最大のデータ速度のカバレッジのエリアを広げるために使用されてもよい。対照的に、配備高がより大きい場合、より小さなサイド・パネル角がその地域内のより一定したカバレッジを達成するために使用されてもよい。１つの実行可能な設置技術では、据付者は、最初にアンテナ・システム１０の配備高を推定し、次に、それに応じてサイド・パネル１４，１６，１８，２０の角度を調整し固定する。異なるレンジにある配備高に対する適切なサイド・パネル角をリストする表が提供される。アンテナ・システム１０が実際に設置される前または後に、サイド・パネル角が調整されてもよい。
【０００７】
設置中にサイド・パネル１４，１６，１８，２０の角度を調整するための他の技術が、代替のものとして使用されてもよい。例えば、１つの試みとして、水平な反射要素（例えばミラー）が、サイド・パネル１４，１６，１８，２０を調整する際に使用するために、アンテナ・システム１０のサイド・パネルの１つまたはそれ以上の上に提供される。その後、ある据付者が、例えば、対応するビームが集中させられるべき点からその反射要素にレーザ・ポインティング装置を向ける一方で、他方の据付者がサイド・パネルの角度を調整する。レーザ・ポインタが自身に直接に反射される場合、そのサイド・パネルの角度は適切に固定される。同様の技術は、ビームの位置合わせが適切に達成されたかどうかを判断するために据付者の視力を利用する。すなわち、ある据付者が対応するビームが集中させられるべきポイントに立ち、双眼鏡または望遠鏡のような光学装置を用いてその反射要素を見る一方、別の据付者は対応するサイド・パネルの角度を調整する。第１据付者が反射器に自分自身の像を見るとき、その据付者は第２据付者にサイド・パネルを適所に固定するように命じる。据付者は、例えば、部屋、配備高、アンテナ・ビーム幅などについてのサイズおよび形状のような基準に基づいて調整中に立つ適切な場所を決定する。
【０００８】
少なくとも１つの実施例において、サイド・パネル１４，１６，１８，２０に関連する１またはそれ以上のアンテナアレイ２２は、電子ビーム操作（steering）能力を有する。すなわち、フェイズド・アレイ技術は、ビーム方向の調整という付加的な段階を提供するために使用される。フェイズド・アレイ技術が幾分かのビーム整形能力を提供するために使用されてもよい。さらに配置領域内（例えば、機械的調整が行なわれた後）の最大データ速度を与えるカバレッジ・パターンを改善するために、これらの能力が据付者によって使用されてもよい。例えば、据付者は、複雑な形をした部屋の隅に強化されたカバレッジを得るためにサイド・パネルの１つからその左または右にビームに向けることができる。据付者は、さらにアンテナ・ビーム（例えばビーム幅など）の形を調整し、特定の配置領域に一層よく適合するよう決めることができる。サイド・パネルに関連するメイン・ビームの方向を電子的に調整するために、対応するアレイ要素の励起相が調整される。メイン・ビームの形を電子的に調整するために、対応するアレイ要素の励起相および振幅が調整される。調整可能なビーム生成器（beamformer）ネットワークは、典型的にはそのような機能性を提供するために使用される。このようなビーム生成器技術は、当技術分野において周知である。ひとたび据付者がサイド・パネルに関連するビームに対する最適なビーム方向および／または形を達成したならば、その対応する位相および／または振幅値は関連するビーム生成器内で固定され、その後は（アンテナ・システム１０が後に移動されないか、あるいは周期的な再較正が行なわれないかぎり）変更されない。
【０００９】
図１のアンテナ・システム１０は、単にある発明の原理を図示するもので、多くの変更がそれに対して成され得ることを理解されるべきである。例えば、あらゆる数の軸結合したサイド・パネルが使用され得る。１つの実行可能な実施例では、例えば、単一の軸結合したサイド・パネルだけが提供される。さらに、サイド・パネルおよびメイン・パネルは任意の形状を仮定することができる。例えば、別の実行可能な実施例では、メイン・パネル１２は六角形の形状をし、６つのサイド・パネルが提供され、１つのパネルは六角形の各端にヒンジ結合される。理解されるように、あらゆる数の異なった形状が用いられる。同様に、各アレイ内のアンテナ要素の数および配置は変えることができる。少なくとも１つの実施例の中で、図３に示されるように、アンテナ・システム３０は、単一のアンテナ要素２８を有するメイン・パネル１２、および、各々多くの要素を含むサイド・パネル１４，１６，１８，２０を含むように提供される。１またはそれ以上のサイド・パネル内に単一の要素だけを含むことが望ましいこともある。本発明に従って、種々様々な異なる形式のアンテナ要素がアンテナ・システム内に使用することができる。１つの試みとして、例えば、マイクロストリップのパッチ要素が各パネル上で使用される。使用することができる他のタイプの要素、例えば、双極子、接地平面、スロット、ループおよび上記のものを組合せるその他のもの含めることができる。あらゆるタイプの偏波（polarization）、例えば、線形、循環、楕円、あるいは直交偏波（cross-polarization）を含めて使用することができる。
【００１０】
既に説明されたように、図１のアンテナ・システム１０は、設置中にサイド・パネル１４，１６，１８，２０を適所にロックするための１またはそれ以上のロック装置を典型的には含むであろう。理解されるように、軸結合したサイド・パネルを適所にロックすることができるあらゆる構造が使用される。１つの試みでは、例えば、サイド・パネルをメイン・パネルに結合するヒンジ２４は、対応するパネルを適所にロックするために締め付けることのできる（例えば、蝶ナットを備える）ねじを含む。クランプ、ブラケットおよび他の機械的な構造が、それに代わって使用されてもよい。図４は、本発明の少なくとも１つの実施例の中で使用される取付具３６を図示する斜視図であり、サイド・パネル１４，１６，１８，２０の角度を固定する。取付具３６は、その対応するコーナに配置されたブロック４０，４２，４４，４６を有するベース部３８を含む。１つの試みとして、ベース部３８は、コーナ・ブロック４０，４２，４４，４６を適所に保持するワイヤ・フレームを含む。平面材料がそれに代えて使用されてもよい。ブロック４０，４２，４４，４６は好ましくはピラミッドの形状であるが、他の形状（例えば正方形、長方形、など）がそれに代えて使用されてもよい。各ブロックの実際の形状は、典型的には使用されるサイド・パネルの数および配列に依存する。図５に図示されるように、ブロック４０，４２，４４，４６は、その対応するサイド・パネルの角度を設定する際に使用するためのもどり止４８を含めてもよく、その適切な側面には対応する角度表示を有する。また、ストップ５０がパネルの角度の上限および下限を設定するために提供されてもよい。
【００１１】
図６は、図１のアンテナ・システム１０を図４の取付具３６に挿入した状態を図示する斜視図である。図示されるように、アンテナ・システム１０のサイド・パネル１６，１８，２０の各々は、対応するブロック対の間に嵌め合わされている。アンテナ・システム１０が取付具３６に挿入された後、据付者は、対応するブロック上の適切なもどり止にパネルを移動させることによりサイド・パネル１４，１６，１８，２０の各々の角度を調整することができる。その後、パネルは、ブロックの圧縮力によって適所に保持される。アンテナ・システム１０は、その配置された寿命の間に、この固定位置内で存続する。ある実施例では、他の材料が代わりに使用されてもよいが、ブロック４０，４２，４４，４６は軽量のプラスティック材料で形成される。好ましくは、その材料は本質的に誘電性がある。少なくとも１つの実施例では、設置中にアンテナ・システム１０をカバーし保護するために、レドーム（radome）構造が取付具３６のブロック４０，４２，４４，４６に取り付けられる。レドームを提供するために使用される材料は、アンテナ・システム１０の動作周波数範囲における無線周波数（ＲＦ）のエネルギーに対し、低損失のものか、あるいは、透明なものが好ましい。
【００１２】
上記議論されるように、本発明のアンテナ・システムは、配置領域内の高所に設置されるのが好ましい。その後、サイド・パネルの角度は、その地域内の最大データ速度の到達範囲を拡大するように調整され固定される。図７は、部屋６０内のワイヤレス・ユーザにネットワーク・アクセス・サービスを提供する際に使用する天井設置型（用）のアンテナ・システム１０を有する部屋６０の断面図である。図示されるように、アンテナ・システム１０のメイン・パネル１２は、一般に下方向へのメイン・ビーム６２を生成すし（サイドローブも生成されることがある）、その部屋の床面中央部をカバーする。同様に、サイド・パネル１６は、一般に下方向へのメイン・ビーム６４を生成し、床面周辺部をカバーする。また、サイド・パネル２０は、一般に下方向へのメイン・ビーム６６を生成し、床面反対部をカバーする。同様のビームが、アンテナ・システム１０の他のサイド・パネル１４，１８によって生成されてもよい。ほぼ床面全体が比較的均一になるように照射されるので、最大データ速度は部屋６０全体でサポートされる。図８は、メイン・パネル１２および単一のサイド・パネル１６を含む壁設置型のアンテナ・システム１０を有する部屋７０を図示する。メイン・パネル１２は、一般に下方向へのビーム７２を生成し、部屋７０の床面の第１側面部をカバーする。また、サイド・パネル１６は、一般に下方向へのビーム７４を生成し、部屋７０の床面の第２側面部をカバーする。さらに理解されるように、多くの他のアンテナ・システムの配置モデルが可能である。
【００１３】
図９は、本発明の別の実施例に従うアンテナ・システム８０の底面図である。アンテナ・システム８０は、その上に配置された複数の個別のアンテナ・アレイ８４，８６，８８，９０，９２を有する単一のパネル８２を含む。図示された実施例では、パネル８２は、パネル８２の中央に位置するメイン・アレイ８４およびそのメイン・アレイ８４のまわりに配置された４つのサイド・アレイ８６，８８，９０，９２を含む。パネル８２上のアレイ数、サイズおよび配列、および、パネル８２のサイズおよび形状は、実施例に応じて変化する。動作中、パネル８２上のアレイ８４，８６，８８，９０，９２の各々は、対応するアンテナ・ビームを生成する（受信および／または送信）。対応する配置領域内での最大データ速度をカバーする範囲を最大にするために、アンテナ・システム８０は、設置中に電子的に調整されてもよい。１つの試みとして、例えば、サイド・アレイ８６，８８，９０，９２の各々は、設置プロセスの間に据付者によって調整することができる、電子的に操作可能なビームを有する。据付者は、例えば、配置領域内で１またはそれ以上の測定（例えば配備高、部屋サイズ、壁までの距離）を行い、次に、それに応じてフェイズド・アレイ技術を使用して、個々のビーム角を設定することができる。少なくとも１つの実施例では、個々のビームの１またはそれ以上の形も、設置中に（例えば、対応するアレイ内の個々の要素の励起振幅および位相を調整することによって）調整される。メイン・アレイ８４によって生成されるビームは調整可能であっても、調整可能でなくてもよい。少なくとも１つの実施例では、単一のアンテナ要素は、メイン・アレイ８４の代わりに使用される。個別のビーム生成器は、パネル８２上の各アレイ８４，８６，８８，９０，９２のために提供される。ひとたび据付者がアレイ８４，８６，８８，９０，９２の１つに関連するビームに対する最適なビーム方向および／または形を達成したならば、その対応する位相および／または振幅値は関連するビーム生成器内で固定され、その後は（アンテナ・システム８０が後に移動されないか、あるいは周期的な再較正が行なわれないかぎり）変更されない。
【００１４】
図１０は、図９のアンテナ・システム８０の断面図である。図示されるように、アンテナ・システム８０は、配置領域内にシステム８０を設置して使用するためのパネル８２に結合されたオプションのマウント９４を含めてもよい。そのマウントは、あらゆる構造またはアンテナ・システム８０の付属部品を配置領域の高所に設置することができる構造を含む。
【００１５】
図１１は、部屋１００内のワイヤレス・ユーザにネットワーク・アクセス・サービスを提供する際に使用する天井設置型のアンテナ・システム８０を有する部屋１００の断面図である。図示されるように、アンテナ・システム８０のメイン・パネル８２は、一般に下方向へのメイン・ビーム１０２を生成し、その部屋の床面中央部をカバーする。同様に、サイド・パネル８２の１つのサイド・アレイは、床面周辺部をカバーするビーム１０４を生成し、また、他のサイド・アレイは、床面反対部をカバーするビーム１０６を生成する。同様のビームが、パネル８２上の他のサイド・パネルによって生成されてもよい。ほぼ床面全体が比較的均一になるように照射されるので、最大データ速度は部屋１００全体でサポートされる。図１２は、壁設置型のアンテナ・システム８０を有する部屋１１０を図示する。パネル８２上のメイン・アンテナ・アレイは、部屋１１０の床面の第１側面部をカバーするビーム１１２を生成し、また、パネル８２上のサイド・アレイは、部屋１１０の床面の第２側面部をカバーするビーム１１４を生成する。さらに理解されるように、多くの他のアンテナ・システムの配置モデルが可能である。
【００１６】
図１３は、本発明の別の実施例に従うアンテナ・システム１２０の底面図である。アンテナ・システム１２０は、その上に配置されたアンテナ要素であるアレイ１２４を有する単一のパネル１２２を含む。アレイ１２４内の要素の数および形状、および、パネル１２２のサイズおよび形状は、実施例に応じて変化する。動作中、アレイ１２４は、配置領域内に同時に複数のアンテナ・ビーム（受信および／または送信）を生成する。複数のビーム生成ネットワークが、複数のアンテナ・ビームを生成するためにアレイ１２４と共に使用される。複数のビーム生成ネットワークは、典型的にはアンテナ・システム１２０と共に位置するであろう。このようなビームを生成する構造は、当技術分野において周知である。１つの実施例では、アレイ１２４によって生成された１またはそれ以上のビームは、据付者がビームを電子的に操作して、配置領域内におけるシステム１２０の最大データ速度を達成する範囲を拡大するように調整することを可能にする。最適のビーム位置が特定の配置領域のために達成された後、ビーム生成器は固定され、その後ビームは静止したままとなる。
【００１７】
本発明はある実施例と共に説明されたが、当業者が理解するように本発明の精神および範囲を逸脱しないで修正および変更が行なわれることを理解すべきである。そのような修正および変更は、本発明および添付された請求項の範囲内にあると考えられる。
【図面の簡単な説明】
【００１８】
【図１】本発明の実施例に従うアンテナ・システムの底面図である。
【図２】図１のアンテナ・システムの断面図である。
【図３】本発明の別の実施例に従うアンテナ・システムの底面図である。
【図４】アンテナ・システムのサイド・パネルの角度を固定するために本発明の少なくとも一実施例中で使用される取付具の斜視図である。
【図５】本発明の実施例に従って図４の取付具内に使用されるコーナ・ブロックの斜視図である。
【図６】図４の取付具に挿入されたアンテナ・システムの斜視図である。
【図７】天井に取り付けられた図１のアンテナ・システムを有する部屋の側面図およびそのアンテナ・システムの可能な到達範囲を図示する。
【図８】壁に取り付けられた図１のアンテナ・システムを有する部屋の側面図およびそのアンテナ・システムの可能な到達範囲を図示する。
【図９】本発明の別の実施例に従うアンテナ・システムの底面図である。
【図１０】図９のアンテナ・システムの断面図である。
【図１１】天井に取り付けられた図９のアンテナ・システムを有する部屋の側面図およびそのアンテナ・システムの可能な到達範囲を図示する。
【図１２】壁に取り付けられた図９のアンテナ・システムを有する部屋の側面図およびそのアンテナ・システムの可能な到達範囲を図示する。
【図１３】本発明の別の実施例に従うアンテナ・システムの底面図である。
【図１】
2005535255.tif 000003
【図２】
2005535255.tif 000004
【図３】
2005535255.tif 000005
【図４】
2005535255.tif 000006
【図５】
2005535255.tif 000007
【図６】
2005535255.tif 000008
【図７】
2005535255.tif 000009
【図８】
2005535255.tif 000010
【図９】
2005535255.tif 000011
【図１０】
2005535255.tif 000012
【図１１】
2005535255.tif 000013
【図１２】
2005535255.tif 000014
【図１３】
2005535255.tif 000015
【国際調査報告】
2005535255.tif 000016
2005535255.tif 000017